(57)【要約】【課題】主電源停止中もモータ制御機能が有効かつファンモータの消費電力の浪費を低減するとともに寿命改善が可能なモータ駆動装置を提供する。【解決手段】整流回路３ａと平滑回路３ｂからなる主電源入力部３と制御電源入力部６とが分離され、主電源入力部３から冷却用ファンの電源を生成するファン電源生成回路９と、ファン電源生成回路９で生成された電源によって駆動するＡＣファンモータ８と、制御電源入力部６の出力によって動作する制御回路７と、主電源入力部３からの出力と制御回路７からの信号を入力とするモータ駆動回路４とを備えたモータ駆動装置。【選択図】図１
2006115627.tif 000002
【特許請求の範囲】
【請求項１】
整流回路と平滑回路からなる主電源入力部と制御電源入力部とを分離したモータ駆動装置において、主電源入力部から冷却用ファンの電源を生成するファン電源生成回路と、前記ファン電源生成回路で生成された電源によって駆動するＡＣファンモータと、制御電源入力部の出力によって動作する制御回路と、前記主電源入力部からの出力と前記制御回路からの信号を入力とするモータ駆動回路とを備えたモータ駆動装置。
【請求項２】
整流回路と平滑回路からなる主電源入力部と制御電源入力部とを分離したモータ駆動装置において、主電源入力部から冷却用ファンの電源を生成するファン電源生成回路と、前記ファン電源生成回路で生成された電源によって駆動するＤＣファンモータと、制御電源入力部の出力によって動作する制御回路と、前記整流回路の出力と前記制御回路からの信号を入力とするモータ駆動回路とを備えたモータ駆動装置。
【請求項３】
制御回路はモータ駆動回路のＯＦＦ時間が所定時間継続したときファンモータ駆動の停止を指令する請求項１または請求項２に記載のモータ駆動装置。
【発明の詳細な説明】
【技術分野】
【０００１】
本発明は、主電源入力部と制御電源入力部とを分離したモータ駆動装置に搭載された冷却用のファンモータ駆動に関する。
【背景技術】
【０００２】
従来、主電源を共有してモータの駆動用電源と制御用電源を得る場合があり、主電源をＯＦＦにすると制御回路の機能も停止する。そこで、主電源のＯＦＦ時にも制御回路へのパラメータの設定や停止中のモータ位置の監視などをする場合には、主電源を共有せずにモータの駆動用電源と制御用電源とを別々に設ける場合がある。
【０００３】
一方、消費電力の無駄と騒音を減少すると共に内部部品の長寿命化を図るため、電子機器の待機状態と動作状態に応じてファンモ−タの回転速度を変えることが知られている（例えば、特許文献１参照）。
【特許文献１】特開平２−１３７６９号公報
【発明の開示】
【発明が解決しようとする課題】
【０００４】
解決しようとする問題点は、モータ駆動装置に搭載したファンモータの消費電力および寿命である。すなわち、モータを駆動する必要がなく主電源を遮断した場合、モータ駆動装置内部の温度上昇はほとんど発生しないためファンモータを駆動する必要はない。
【０００５】
主電源を共有してモータの駆動用電源と制御用電源とを得ると、主電源をＯＦＦしたときファンモータの消費電力の無駄はなくなるものの制御用電源もＯＦＦするため制御回路の機能が停止して停止中のモータ位置の監視ができず不具合が発生する可能性がある。
【０００６】
また、特許文献１のように電子機器の待機状態と動作状態に応じてファンモ−タの回転速度を変える場合には、待機状態においても低速で冷却用ファンモータが駆動されるため無駄な電力を消費し、ファンモータの軸受寿命に悪影響を与えることとなる。
【０００７】
さらに、主電源入力部と制御電源入力部とを分離したモータ駆動装置でファンモータを駆動するには、制御電源入力部側にファンモータを接続する必要があり、特許文献のように機器の待機状態と動作状態に応じてファンモータの回転速度を制御する必要がある。
【０００８】
本発明は上記従来の課題を解決するものであり、主電源停止中もモータ制御機能が有効であり、ファンモータの消費電力の浪費を低減するとともに寿命改善が可能なモータ駆動装置を提供することを目的とする。
【課題を解決するための手段】
【０００９】
上記の課題を解決するために本発明は、整流回路と平滑回路からなる主電源入力部と制御電源入力部とを分離したモータ駆動装置において、主電源入力部から冷却用ファンの電源を生成するファン電源生成回路と、前記ファン電源生成回路で生成された電源によって駆動するＡＣファンモータと、制御電源入力部の出力によって動作する制御回路と、前記主電源入力部からの出力と前記制御回路からの信号を入力とするモータ駆動回路とを備えたモータ駆動装置である。また、主電源入力部から冷却用ファンの電源を生成するファン電源生成回路と、前記ファン電源生成回路で生成された電源によって駆動するＤＣファンモータと、制御電源入力部の出力によって動作する制御回路と、前記整流回路の出力と前記制御回路からの信号を入力とするモータ駆動回路とを備えたモータ駆動装置である。
【発明の効果】
【００１０】
本発明のモータ駆動装置によれば、ファンモータの駆動用電源は主電源入力部から生成するため主電源が遮断されるとファンモータが停止し、消費電力の浪費を削減できるとともに、ファンモータの寿命を延ばすことができる。また、制御電源入力部と主電源とを分離しているので、主電源ＯＦＦ中も制御機能は有効であり、駆動モータの停止位置の監視などが可能である。
【００１１】
さらに、主電源がＯＮで駆動モータがＯＦＦの場合、制御回路が機能しているため所定時間の経過後にファンモータの駆動を停止させることができるので、ファンモータの節電と寿命改善が可能なモータ駆動装置が得られる。
【発明を実施するための最良の形態】
【００１２】
主電源入力部から冷却用ファンの電源を生成するファン電源生成回路と、前記ファン電源生成回路で生成された電源によって駆動するＡＣファンモータと、制御電源入力部の出力によって動作する制御回路と、前記主電源入力部からの出力と前記制御回路からの信号を入力とするモータ駆動回路とを備えたモータ駆動装置であり、制御回路はモータ駆動回路のＯＦＦ時間が所定時間継続したときファンモータ駆動の停止を指令する。
【実施例１】
【００１３】
実施例１は、装置内部の冷却用にＡＣファンモータを搭載したモータ駆動装置に適用される。
【００１４】
図１において、主電源１および制御電源２は外部からモータ駆動装置に入力される。主電源１は、整流回路３ａと平滑回路３ｂから構成される主電源入力部３と、ファン電源生成回路９とに入力される。ファン電源生成回路９は、主電源１を降圧し、ＡＣファンモータ８に入力することでモータ駆動装置内部の温度上昇を抑制する。
【００１５】
制御電源２は、制御電源入力部６に接続され、制御回路７の電源を生成し、制御回路７へ入力される。制御回路７は、モータ駆動信号を生成し、主電源入力部３の出力とモータ駆動信号を入力とするモータ駆動回路４によりモータ５を駆動する。
【００１６】
モータ５を駆動するとき、主電源１を投入することでＡＣファンモータ８も駆動し、モータ駆動装置内部の温度上昇を抑制する。また、モータ５を駆動しないときは主電源１を遮断することでＡＣファンモータ８の電源が生成されないため、ＡＣファンモータ８は動作しない。
【００１７】
また、制御電源入力部６と主電源入力部３とは分離しているので、制御電源をＯＦＦしない限り制御回路７の機能は有効である。したがって、主電源１が投入されてもモータ５が長時間駆動されない場合には、制御回路７は所定時間（例えば５分程度）後にＡＣファンモータ８の駆動停止を指令する。
【００１８】
これにより、モータ駆動装置に搭載したＡＣファンモータの電力消費の浪費を最小にできるとともに、寿命改善を図ることができる。
【実施例２】
【００１９】
実施例２は、実施例１のファン電源生成回路とファンモータとが異なり、ＤＣファンモータを搭載したモータ駆動装置である。
【００２０】
図２において、主電源２１および制御電源２２は外部からモータ駆動装置に入力される
。主電源２１は、整流回路２３ａと平滑回路２３ｂから構成される主電源入力部２３に入力される。ファン電源生成回路２９は、整流回路２３ａの出力を降圧する電源降圧手段２９ａと電源安定化手段２９ｂとで構成され、その出力でＤＣファンモータ２８が駆動され、モータ駆動装置内部の温度上昇を抑制する。
【００２１】
制御電源２２は、制御電源入力部２６に接続され、制御回路２７の電源を生成し、制御回路２７へ入力される。制御回路２７はモータ駆動信号を生成し、主電源入力部２３の出力とモータ駆動信号を入力とするモータ駆動回路２４によりモータ２５を駆動する。
【００２２】
モータ２５を駆動するとき、主電源２１を投入することでＤＣファンモータ２８も駆動し、モータ駆動装置内部の温度上昇を抑制する。また、モータ２５を駆動しないときは主電源２１を遮断することでＤＣファンモータ２８の電源が生成されないため、ＤＣファンモータ２８は動作しない。
【００２３】
また、実施例１と同様に、制御電源入力部２６は主電源入力部２３と分離しているので、制御電源をＯＦＦしない限り制御回路２７の機能は有効である。さらに、主電源２１が投入されてもモータ２５が長時間駆動されない場合には、制御回路２７は所定時間（例えば５分程度）後にＤＣファンモータ２８の駆動停止を指令する。
【００２４】
これにより、モータ駆動装置に搭載したＤＣファンモータの電力消費の浪費を最小にできるとともに、寿命改善を図ることができる。
【産業上の利用可能性】
【００２５】
本発明のモータ駆動装置は、主電源のＯＮ・ＯＦＦと駆動モータが連動する産業用途の機器に有用である。
【図面の簡単な説明】
【００２６】
【図１】本発明の実施例１におけるモータ駆動装置のブロック図
【図２】本発明の実施例２におけるモータ駆動装置のブロック図
【符号の説明】
【００２７】
１，２１  主電源
２，２２  制御電源
３，２３  主電源入力部
３ａ，２３ａ  整流回路
３ｂ，２３ｂ  平滑回路
４，２４  モータ駆動回路
５，２５  モータ
６，２６  制御電源入力部
７，２７  制御回路
８，２８  ファンモータ
９，２９  ファン電源生成回路
２９ａ  主電源降圧手段
２９ｂ  電源安定化手段
【図１】
2006115627.tif 000003
【図２】
2006115627.tif 000004